(57)【特許請求の範囲】
【請求項１】
底部と，該底部の幅方向両側に形成された連結部とからなる溝板と、該溝板の幅方向寸法にほぼ等しく且つ長手方向にほぼ直交して装着される仕切り材とからなり、前記溝板の長手方向が水上側から水下側に向かうようにして下地部に複数配置されるとともに、前記仕切り材が前記溝板の長手方向に沿って所定間隔に複数装着され、前記仕切り材箇所に排水開口が形成され、且つ前記底部と前記仕切り材による領域に人口土壌マットが配置されてなることを特徴とする緑化屋根。
【請求項２】
底部と，該底部の幅方向両側に形成された連結部とからなる溝板と、該溝板の幅方向寸法にほぼ等しく且つ長手方向にほぼ直交して装着される仕切り材とからなり、前記溝板の長手方向が水上側から水下側に向かうようにして下地部に複数配置されるとともに、前記仕切り材が前記溝板の長手方向に沿って所定間隔に複数装着され、前記仕切り材は前記溝板の底部との間に隙間状の排水開口が形成され、且つ前記底部と前記仕切り材による領域に人口土壌マットが配置されてなることを特徴とする緑化屋根。
【請求項３】
請求項１又は２において、前記溝板の底部は、幅方向中央箇所が幅方向両端箇所よりも僅かに低くなるように偏平中間溝条が形成され、前記仕切り材の下方はほぼ直線状とし、仕切り材の幅方向両端が前記底部の幅方向両端箇所に載置固着されてなることを特徴とする緑化屋根。
【請求項４】
請求項１，２において、前記仕切り材には、幅方向に沿って複数の排水貫通孔が形成され、前記溝板の底部は平坦状に形成されてなることを特徴とする緑化屋根。
【請求項５】
請求項１又は２において、前記仕切り材の下端に排水切除部が形成されてなることを特徴とする緑化屋根。
【発明の詳細な説明】
【０００１】
【発明の属する技術分野】
本発明は、屋根上面にて種々の植物，作物等の栽培を行うものであって、植物，作物等に補給するための水分を十分に確保するとともに、不要な水が溜まることなく根腐れ等の植物，作物に悪影響を及ぼすことを防止し、維持，管理も簡単にできる緑化屋根に関する。
【０００２】
【従来の技術】
近年、屋根上面を利用して植物，作物等の栽培が行われている。特に、日当たり，風通し等の栽培条件が適正な場合が多く、このようなことから栽培に適している。また、屋根表面が植物により覆われることで、植物の彩りが屋根の外観を大きく変化させることができる。しかも、緑系統の植物は、屋根を鮮やかに緑化させることができ、これはどの様な塗装を行っても、その雰囲気を再現することはできない。
【０００３】
また、屋根を緑化するためには、金属屋根板により屋根が施工され、この金属屋根板上に種子入りのマット材を敷設するようにしたものが多く見受けられる。この種のものでは、人口土壌マットのマット部が適度の吸水性及び良好なる透水性，通気性を有したものが好ましい。
【０００４】
【発明が解決しようとする課題】
上述した屋根の緑化設備には、植物が必要とする適正量の水分の確保が重要であるとともに、必要以上に水分が溜まらないようにしておく必要がある。そのために、前記人口土壌マットに水分を吸収させるために、水分がある程度溜まりやすくしなくてなならない。また、溜めた水分が下地部側に漏れないようにする防水構造も必要となる。
【０００５】
ところで、通常の屋根は、棟から軒先に向かって傾斜しており、前記人口土壌マットを屋根に固定するために、種々の固定部材を使用して人口土壌マットを固定している。特に、傾斜した屋根面に人口土壌マットを固定するのに傾斜方向に直交するようにして仕切りが形成され、その仕切りにより、人口土壌マットを屋根に固定することが多い。この仕切りにより、その周辺に水を溜めて、仕切り材に吸収させるものである。
【０００６】
しかしながら、特に台風，大雨，梅雨等で、仕切り周辺に水分が溜まり続けると、人口土壌マットが水分を十分に吸収しても、まだ仕切り周辺に水が余る状態となる。このような状態が続くと、人口土壌マットが水に漬かってしまう状態となり、これによって、植物に根腐れ等の害が生じることになり、人口土壌マットからの種子育成が不可能となる。
【０００７】
さらに、逃げ場のない水分は、屋根自体にも悪影響を及ぼし、たとえば水分が屋根板材同士の連結箇所から浸透し、ひいても水漏れ，雨漏り等の原因となる。また、溜まった水に大気中の排ガス成分であるＳＯX やＮＯX が溶け込んで弱酸性となり、金属屋根で上記溜まり水に触れている部位では、小食（腐食）が発生し、ひいては屋根寿命を短くするものである。本発明の目的は、このような緑化屋根において、人口土壌マットに適正量の水分を与えるとともに、人口土壌マットに必要以上の水分が溜まることなく、根腐れ等の害及び屋根に対する悪影響を防止することにある。
【０００８】
【課題を解決するための手段】
そこで、発明者は、上記課題を解決すべく、鋭意，研究を重ねた結果、本発明を、底部と，該底部の幅方向両側に形成された連結部とからなる溝板と、該溝板の幅方向寸法にほぼ等しく且つ長手方向にほぼ直交して装着される仕切り材とからなり、前記溝板の長手方向が水上側から水下側に向かうようにして下地部に複数配置されるとともに、前記仕切り材が前記溝板の長手方向に沿って所定間隔に複数装着され、前記仕切り材箇所に排水開口が形成され、且つ前記底部と前記仕切り材による領域に人口土壌マットが配置されてなる緑化屋根としたことにより屋根上の人口土壌マットに適正量の水分を与えるとともに、人口土壌マットに必要以上の水分が溜まることなく、ひいては根腐れ等の害を防止することができ、上記課題を解決したものである。
【０００９】
【発明の実施の形態】
以下、本発明の実施形態を図面に基づいて説明する。本発明における屋根は、図１（Ａ），（Ｂ）に示すように、適宜の傾斜角度θを設けてなる屋根に適応するものであるが、平坦状の屋根にも使用してかまわない。ここでは、主に傾斜のある屋根に適応するものとして説明する。まず、本発明には、複数の実施形態が存在し、その第１実施形態から説明する。植物が育成される人口土壌マット１０が敷設可能な屋根板材として使用する溝板Ａは、図６（Ａ），図７等に示すように、金属薄板材から成形されるものであり、平坦状の底部１の幅方向両側端に立上り状の連結部２，３が形成されている。
【００１０】
その底部１は、図６（Ａ）及び図７（Ａ）に示すように、幅方向中央箇所より幅方向両端側に偏平中間溝条１ａが形成されており、該偏平中間溝条１ａは、左右対称のほぼ偏平逆台形状又は船底状等に形成され、溝底面１ａ1 と該溝底面１ａ1 の幅方向両側に形成される段部１ａ2 ，１ａ2 とから構成されている。さらに、該段部１ａ2 ，１ａ2 から前記連結部２，３との間は支持面１ｂ，１ｂが形成されており、後述する仕切り材１０が載置固定される部位となる。該支持面１ｂ，１ｂの高さ方向の位置は、前記偏平中間溝条１ａの溝底面１ａ1 の位置よりも若干高くなる。
【００１１】
前記連結部２，３は、図４乃至図６等に示すように、前記底部１の幅方向一方側に形成される連結部２に、前記底部１の幅方向他方側に形成された連結部３が被さるようにして隣接する溝板Ａ，Ａ同士が連結するものである。前記一方側の連結部２は、図６，図７（Ａ），（Ｃ）に示すように、立上り片２ａの上端より内方側（底部１側）向かって折り返し状とした屈曲片２ｂが形成されている。該屈曲片２ｂの下端にはさらに内側下向きに傾斜する弾発端縁２ｂ1 が形成されている。この一方側の連結部２は、その断面形状がほぼヘアピン形状となっている。
【００１２】
次に、他方側の連結部３は、図６，図７（Ａ），（Ｂ）に示すように、立上り片３ａの上端より外方側（底部１形成側の反対側）に向かって円弧状屈曲部を介して垂下状片３ｂが形成され、該垂下状片３ｂの下端より、円弧状屈曲部を介して底部１側上方に屈曲端縁３ｂ1 が形成されている。この他方側の連結部３の断面形状は、略クリップ形状をなしている。そして、隣接する溝板Ａ，Ａ同士で、該溝板Ａの一方側の連結部２に対して、隣接する次位の溝板Ａの他方側の連結部３を被せるようにして、連結するものである。
【００１３】
その連結部２，３の連結状態は、立上り片３ａと垂下状片３ｂとの間に前記一方側の連結部２が挿入する状態となる。一方側の連結部２が他方側の連結部３に挿入するときには、前記他方側の連結部３の立上り片３ａと屈曲端縁３ｂ1 とを連結部２が押し開くようにして入り込み、連結部２が他方側の連結部３に入り込むと、弾発端縁２ｂ1 が垂下状片３ｂを弾性押圧する。また、連結部２，３による連結箇所には、長手方向に沿って樹脂溶接が施されたり、或いはシーリング剤が注入され、防水部７が形成されることもある。また、溝板Ａの表面には、樹脂コーティングが施されることもある。
【００１４】
また、隣接する溝板Ａ，Ａ同士の連結箇所を下地部に固定する吊子４が用意されている。該吊子４は、図６（Ｃ）に示すように、抱持部４ａと座板部４ｂとから構成されており、前記抱持部４ａは、支持立上り片４ａ1 と支持折返し片４ａ2 から構成されている。その支持立上り片４ａ1 と支持折返し片４ａ2 とがほぼ逆Ｕ字形状をなしている。前記座板部４ｂは、ドリルビス等の固着具を介して下地部に固定する部位であって、必要に応じて補強リブ４ｃが形成されている。また、前記抱持部４ａの支持立上り片４ａ1 の下方箇所には補助支持片４ｄが形成されている。前記補強リブ４ｃ及び補助支持片４ｄは、溝板Ａの支持面１ｂ，１ｂを下面側より支持するものである（図５参照）。
【００１５】
屋根の下地部１１としては、野地板等があり、図１（Ａ），（Ｂ）に示すように、棟側から軒先に適宜の傾斜角度θの勾配を有しており、前記溝板Ａは、その長手方向の一端が傾斜上方で水上側となり、長手方向の他端が傾斜下方で水下側となる。すなわち、図２（Ａ），（Ｂ）に示すように、溝板Ａの長手方向の一端が水上側となるように配置され、他端が水下側となるように配置される。なお前記水下側及び水上側の位置関係は、図３，図８，図９等にも具体的に示されている。
【００１６】
次に、仕切り材５は、図２，図３等に示すように、前記溝板Ａの長手方向に対して直交する壁板状として装着されるものである。該仕切り材５は、図６（Ｂ）に示すように、仕切り板片５ａと固定板片５ｂとからなり、具体的には金属薄板がほぼ直角に折り曲げられてその一方が仕切り板片５ａとし、他方が固定板片５ｂとなり、断面が図８に示すように、ほぼＬ字形状となっている。その仕切り板片５ａと固定板片５ｂの幅方向の寸法が前記溝板Ａの両連結部２，３の間隔にほぼ等しく形成されており、さらに具体的には、隣接する溝板Ａ，Ａの連結部２と連結部３とを連結した部分の厚さも考慮されて、両連結部２，３の間隔よりも若干狭く形成される（図４参照）。
【００１７】
その仕切り板片５ａの高さは、連結部２，３の高さにほぼ等しく形成されるが、さらに具体的には他方側の連結部３の高さにほぼ等しくなっている。前記固定板片５ｂは、その奥行き方向の長さ（固定板片５ｂを溝板Ａに載置したときに、溝板Ａの長手方向に一致する方向）は、仕切り板片５ａの高さに比較して、大きく形成され、その面積も、仕切り板片５ａの面積よりも広く形成されている。該固定板片５ｂは、図１（Ａ），図２（Ｂ），図８等に示すように、後述する人口土壌マット１０の一部が載置され、これを支持する役目をなす部位となる。
【００１８】
前記仕切り材５の仕切り板片５ａの下端は、直線状に形成されている。この仕切り材５の固定板片５ｂが前記溝板Ａの幅方向両側に形成された両支持面１ｂ，１ｂに載置され、該支持面１ｂ，１ｂと固着される。この固着手段としては、加熱による熱融着又は接着剤によるものである。その他に溶接手段、或いはドリルビス，リベット等の固着具を用いた防水固着手段等により仕切り材５が溝板Ａに固着される。
【００１９】
このようにして、溝板Ａに装着された仕切り材５の（仕切り板片５ａの）下端と前記偏平中間溝条１ａの溝底面１ａ1 との間には、図４，図５及び図８等に示すように、隙間が生じる。該隙間が排水開口ｓとなり、溝板Ａに人口土壌マット１０を配置したときに、その仕切り材５箇所は、排水が可能な構造となる。その排水開口ｓは、隙間高さｈを小さく設定することで、排水量を少なくし、適度の水量を確保することができ、溝板Ａ上に配置した人口土壌マット１０に適度の水分を補給することができる。
【００２０】
次に、本発明の第２実施形態としては、図９（Ａ）に示すように、前記溝板Ａの底部１には、上記偏平中間溝条１ａが形成されないものであり、底部１全体が同一平面とした平坦状に形成されたものである。そして、排水開口ｓが前記仕切り材５の仕切り板片５ａに形成されつつ排水貫通孔５ａ1 ，５ａ1 ，…としたものである。該排水貫通孔５ａ1 は、図９（Ｂ）に示すように、仕切り板片５ａの一方側から他方側に向けて円形立上り状の加工が行われ、これを補強リブとし仕切り板片５ａの強度を劣化させないようにすることも可能である。これは、前記排水貫通孔５ａ1 ，５ａ1 ，…を形成する際に生じるバリをそのまま利用することもできる。この多数の排水貫通孔５ａ1 ，５ａ1 ，…群は、排水開口ｓとしては、比較的大きな開口とすることで、排水量を大きくする場合に好適である。
【００２１】
次に、本発明の第３実施形態としては、図１０，図１１に示すように、溝板Ａは、底部１全体が同一平面とした平坦状に形成されたものであり、仕切り材５は、その仕切り板片５ａに筋形状の排水切除部５ａ2 が形成され、これらから構成されている。図１２は、本発明の第３実施形態を構成する分解斜視図であって、前記溝板Ａの底部１には、上記偏平中間溝条１ａが形成されないものであり、底部１全体が同一平面とした平坦状に形成されたものである。そして、前記排水開口ｓとして、仕切り材５の仕切り板片５ａの下端には、幅方向に筋状の排水切除部５ａ2 が形成されている。該排水切除部５ａ2 は、仕切り板片５ａの幅方向に沿って二つに別れており、強度を一定に保っている。図１２（Ｃ）は、前記仕切り板片５ａのＸ1 −Ｘ1 矢視断面図であって、特に排水切除部５ａ2 箇所の断面形状を示すものである。すなわち、排水切除部５ａ2 の直下箇所には、固定板片５ｂが位置するようにしており、前記排水切除部５ａ2 による仕切り板片５ａの強度劣化を防止している。
【００２２】
この仕切り材５を前記溝板Ａの底部１に装着すると、図１０，図１１に示すように、前記排水切除部５ａ2 箇所が排水開口ｓとしての役目をなす。該排水切除部５ａ2 は、筋形状であってその幅寸法或いは隙間高さｈ又はこれらを適宜に設定することにより、排水量及び溜まったゴミ等を排出できる量を調整することができる。また、上記第３実施形態における前記排水開口ｓの変形例として、櫛形排水部５ａ3 が形成されることもある〔図１３（Ａ）参照〕。また、排水切除部５ａ2 に金属網６等を装着してメッシュタイプ〔図１３（Ｂ）参照〕としてもよい。この場合には、前記金属網６により、排水切除部５ａ2 が補強されるという利点がある。
【００２３】
次に、本発明の第４実施形態としては、図１４（Ａ）に示すように、溝板Ａは、底部１全体が同一平面とした平坦状に形成されたものであるが、その幅方向両側箇所で、且つ両連結部２，３から適宜の間隔をおいて形成された突起条１ｃ，１ｃが形成されている。該突起条１ｃは、前記溝板Ａの長手方向に沿って形成されており、その断面形状は、ほぼ三角山形状，円弧状，逆Ｕ字形状或いは方形状等の断面形状となっている。
【００２４】
また、突起条１ｃの高さは排水に適した高さであればよい。これに対応する仕切り材５は、仕切り板片５ａと固定板片５ｂとから構成され、その仕切り板片５ａの幅方向両端箇所で且つ下方には、図１４（Ａ）に示すように、排水切欠部５ａ4 ，５ａ4 が形成されている。前記仕切り材５は、その仕切り板片５ａの排水切欠部５ａ4 ，５ａ4 が前記突起条１ｃ，１ｃに被さるようにして溝板Ａ上に配置固着される。前記固定板片５ｂの幅方向の寸法は、前記両突起条１ｃ，１ｃ間に納まるような長さとなっている〔図１４（Ａ）参照〕。
【００２５】
この第４実施形態において、排水開口ｓは、図１４（Ｂ）に示すように、仕切り材５の排水切欠部５ａ4 と、溝板Ａの突起条１ｃ及び連結部２，３によって構成された空隙箇所である。すなわち、溝板Ａの幅方向両側箇所に二つの排水開口ｓ，ｓが形成されることになる。この第４実施形態では、仕切り材５の仕切り板片５ａの幅方向両端箇所に排水切欠部５ａ4 ，５ａ4 が形成され、仕切り板片５ａのほぼ中央箇所で前記人口土壌マット１０を受ける止める部分は、なんら加工されることがないので、極めて強固なる仕切り構造とすることができ、特に重量のある人口土壌マット１０の支持に好適である。
【００２６】
次に、栽培層を構成する人口土壌マット１０は、繊維質の材質から構成され、平面的に見て略正方形或いは長方形の偏平布団状に形成されたものである。該種子入りマット部１０ａから植物が成長して行くものである。また、マット部１０ａは、繊維質以外のもので木質のものや石質のものであっても構わない。また、溝板Ａに配列された人口土壌マット１０，１０，…には、保護網が被覆状に被せられることもある。この場合には、ジョイント部材等が前記連結部２，３等を利用して装着され、ジョイント部材を介して保護網が固定される。
【００２７】
次に、緑化屋根の施工について述べる。ここでは、下地部１１は勾配を有するものとする。まず前記下地部１１に溝板Ａが配置される。ここで、溝板Ａの長手方向を下地部１１の傾斜方向に一致させ、溝板Ａの長手方向一端を水上側とし、他端を水下側とする。各溝板Ａには、その長手方向に直交し、且つ長手方向に沿って所定の間隔で複数の仕切り材５，５，…を装着する。
【００２８】
該仕切り材５と溝板Ａの連結部２，３により囲まれた箇所に人口土壌マット１０が配置される。図１（Ａ），図２（Ａ）に示されたように、隣接する仕切り材５，５に２つの人口土壌マット１０が配置されるが、このパターンに限定されることはなく、隣接する仕切り材５，５間に３枚の人口土壌マット１０が配置されるものでも良いし、或いは一枚のみの人口土壌マット１０が配置されることもある。
【００２９】
前述したように、前記溝板Ａと、該溝板Ａに装着された仕切り材５との間には、排水開口ｓが生じており、図８，図９等に示すように、雨水，栽培用水等の水ｗが溜まることなく、水上側から水下側に向かって排水開口ｓから排水される。また、該排水開口ｓを狭くしたり，小さくすることにより、排水量を少なくなるように調整することができるし、またそれほど害にならない程度の多少の水ｗは確保され、特に夏の暑い日には、極めて有利なものとなる。
【００３０】
また、前記溝板Ａにおいて、隣接する溝板Ａ，Ａ同士を連結する手段として、隣接する連結部２，３同士による連結は、馳締めによる締付とした連結構造としたり、或いは隣接する連結部２，３にキャップ等を被せて連結するタイプ等種々の手段が存在し、これらを適宜に選定してもかまわない。
【００３１】
【発明の効果】
請求項１の発明は、底部１と，該底部１の幅方向両側に形成された連結部２，３とからなる溝板Ａと、該溝板Ａの幅方向寸法にほぼ等しく且つ長手方向にほぼ直交して装着される仕切り材５とからなり、前記溝板Ａの長手方向が水上側から水下側に向かうようにして下地部１１に複数配置されるとともに、前記仕切り材５が前記溝板Ａの長手方向に沿って所定間隔に複数装着され、前記仕切り材５箇所に排水開口ｓが形成され、且つ前記底部１と前記仕切り材５による領域に人口土壌マット１０，１０，…が配置されてなる緑化屋根としたことにより、屋根上面にて種々の植物，作物等の栽培を行う緑化屋根において、植物，作物等に補給するための必要な水分を確保するとともに、雨水等による不要な水は、排水開口ｓから排水され、必要以上に水が溜まることなく根腐れ等の植物，作物への悪影響を防止し、維持，管理も簡単にできる。
【００３２】
請求項２の発明は、底部１と，該底部１の幅方向両側に形成された連結部２，３とからなる溝板Ａと、該溝板Ａの幅方向寸法にほぼ等しく且つ長手方向にほぼ直交して装着される仕切り材５とからなり、前記溝板Ａの長手方向が水上側から水下側に向かうようにして下地部に複数配置されるとともに、前記仕切り材５が前記溝板Ａの長手方向に沿って所定間隔に複数装着され、前記仕切り材５は前記溝板Ａの底部１との間に隙間状の排水開口ｓが形成され、且つ前記底部１と前記仕切り材５による領域に人口土壌マット１０，１０，…が配置されてなる緑化屋根としたことにより、極めて簡単な構造で、排水開口ｓを形成し、植物，作物等に補給するために必要な水分に確保するとともに、雨水等による不要な水を排除し、根腐れ等の植物，作物への悪影響を防止し、維持，管理も簡単にできる。
【００３３】
上記効果を詳述すると、溝板Ａの長手方向が水上側から水下側に向かうようにして下地部に複数配置されるている。その溝板Ａに、前記仕切り材５が前記溝板Ａの底部１との間に排水開口ｓを有しており、人口土壌マット１０の育成用水や雨水等が前記排水開口ｓから水上側から水下側に向かって排水される。これによって、仕切り材５より水上側には、必要以上に余分な水分が溜まることなく、根腐れを防止し、且つ溜まり水による屋根への腐食，水漏れ，雨漏り等の悪影響を防止することができる。
【００３４】
次に、請求項３の発明は、請求項１又は２において、前記溝板Ａの底部１は、幅方向中央箇所が幅方向両端箇所よりも僅かに低くなるように偏平中間溝条１ａが形成され、前記仕切り材５の下方はほぼ直線状とし、仕切り材５の幅方向両端が前記底部１の幅方向両端箇所に載置固着されてなる緑化屋根としたことにより、仕切り材５等の構造を最も簡単にすることができ、且つ溝板Ａの強度を向上させることができる。
【００３５】
上記効果を詳述すると、溝板Ａの底部１に偏平中間溝条１ａが形成されており、該偏平中間溝条１ａにより、仕切り材５を底部１に設置するのみで、偏平中間溝条１ａと仕切り材５との間に排水開口ｓが生じるものである。これによって、仕切り材５側には何ら加工することなく、断面ほぼＬ字形状とした最も簡単な構造でよい。また、溝板Ａでは、底部１に偏平中間溝条１ａが形成されることにより、偏平中間溝条１ａが底部１の補強リブの役目を果たし、溝板Ａの力学的強度を向上させることができる。
【００３６】
請求項４の発明は、請求項１又は２において、前記仕切り材５の仕切り板片５ａには、幅方向に沿って複数の排水貫通孔５ａ1 ，５ａ1 ，…が形成されてなる緑化屋根としたことにより、底部１は平坦状であっても、仕切り材５に形成された排水貫通孔５ａ1 ，５ａ1 ，…により排水開口ｓとにすることができる。また、溝板Ａの底部１に偏平中間溝条１ａが形成されたタイプでは、仕切り材５と偏平中間溝条１ａとの間の隙間を排水開口ｓとするとともに、前記排水貫通孔５ａ1 ，５ａ1 ，…により、さらに一層、多くの排水を行うことができる。これによって、育成用に水分は必要であるが、水分が溜まることが好ましくないという場合には、好適である。また、特に、仕切り材５に溝板Ａへの取付用に板片（固定板片５ｂ等）が存在する場合に、その固定板片５ｂ上に溜まった水分等は前記排水貫通孔５ａ1 ，５ａ1 ，…により、容易に排水することができる。
【００３７】
なお、仕切り材５が人口土壌マット１０を固定するための仕切り板片５ａと、溝板Ａ側へ固着するための固定板片５ｂとからなり、その固定板片５ｂの面積が大きくなるように水上側へ長くなるように形成する場合には、その固定板片５ｂが人口土壌マット１０の水下側部分を下面より支持する部位の役目をなすもので、特に偏平中間溝条１ａが形成されたタイプの溝板Ａでは、排水開口ｓを人口土壌マット１０が塞ぐようなことを防止することができ、排水効率を最も良好にすることができる。
【００３８】
請求項５の発明は、請求項１又は２において、前記仕切り材５の下端に排水切除部５ａ2 が形成されてなる緑化屋根としたことにより、前記仕切り材５に予め排水切除部５ａ2 が形成されているので、底部１は平坦状であっても、仕切り材５を底部１に載置するのみで、排水切除部５ａ2 が排水開口ｓとにすることができる。これによって、溝板Ａの底部１の形状は、単なる平坦状でよく、極めて簡単な構造にすることができる。
【図面の簡単な説明】
【図１】（Ａ）は本発明の第１実施形態における縦断略示側面図
（Ｂ）は第１実施形態における緑化屋根を備えた家屋の略示図
【図２】（Ａ）は第１実施形態における溝板と仕切り材により囲まれた領域に人口土壌マットが敷設された斜視図
（Ｂ）は（Ａ）の要部拡大斜視図
【図３】第１実施形態における下地部上に配列された溝板の底部に仕切り材が装着された状態の略示斜視図
【図４】第１実施形態における縦断正面略示図
【図５】第１実施形態における隣接する溝板同士の連結構造及び排水開口箇所を示す要部拡大断面図
【図６】（Ａ）は第１実施形態における溝板の斜視図
（Ｂ）は第１実施形態における仕切り材の斜視図
（Ｃ）は吊子の斜視図
【図７】（Ａ）は第１実施形態における溝板の幅方向において中間箇所を一部切除した正面略示図
（Ｂ）は一方側の連結部の正面拡大断面図
（Ｃ）は他方側の連結部の正面拡大断面図
【図８】第１実施形態における排水開口から雨水等が排水される状態を示す作用図
【図９】（Ａ）は本発明の第２実施形態における要部斜視図
（Ｂ）は（Ａ）の要部拡大縦断側面図
【図１０】本発明の第３実施形態における要部斜視図
【図１１】第３実施形態における縦断正面略示図
【図１２】（Ａ）は第３実施形態における溝板の斜視図
（Ｂ）は第３実施形態における仕切り材の斜視図
（Ｃ）は（Ｂ）のＸ1 −Ｘ1 矢視断面図
【図１３】（Ａ）は第３実施形態における排水切除部の変形例を示す縦断正面略示図
（Ｂ）は第３実施形態における排水切除部の別の変形例を示す縦断正面略示図
【図１４】（Ａ）は本発明の第４実施形態における要部斜視図
（Ｂ）は第４実施形態における排水開口箇所を示す要部拡大縦断正面図
【符号の説明】
Ａ…溝板
１…底部
１ａ…偏平中間溝条
２，３…連結部
５…仕切り材
５ａ1 …排水切除部
５ａ2 …排水貫通孔
１０…人口土壌マット
１１…下地部
ｓ…排水開口
【図１】
0003782728.tif 000002
【図２】
0003782728.tif 000003
【図３】
0003782728.tif 000004
【図４】
0003782728.tif 000005
【図５】
0003782728.tif 000006
【図６】
0003782728.tif 000007
【図７】
0003782728.tif 000008
【図８】
0003782728.tif 000009
【図９】
0003782728.tif 000010
【図１０】
0003782728.tif 000011
【図１１】
0003782728.tif 000012
【図１２】
0003782728.tif 000013
【図１３】
0003782728.tif 000014
【図１４】
0003782728.tif 000015